(57)【要約】【課題】剥離ユニットを単にスライドさせるだけで通常発行状態と剥離発行状態との双方向の切り替えが可能なラベルプリンタを提供する。【解決手段】ラベルプリンタ１は、剥離ローラ１０を有する剥離ユニットとを備えており、剥離ユニットは、スライド部のスライド動作をロックする剥離ユニット固定機構６４，６４とを備えている。各剥離ユニット固定機構６４は、位置決め部６７A，６７Ｂと、スライド部と共にスライドし、位置決め部６７Ａ，６７Ｂと係合する突起部６６Ａ，６６Ｂと、突起部６６Ａ，６６Ｂが位置決め部６７Ａ，６７Ｂと係合するように突起部６６Ａ，６６Ｂを付勢する板バネ部材６５Ａ，６５Ｂとを備え、剥離ユニットを通常発行状態及び剥離発行状態の一方から他方へ切り替える際、スライド部を所定の力でスライドさせることにより、位置決め部６７Ａ，６７Ｂに対する突起部６６Ａ，６６Ｂの係合が解除される。【選択図】図６
2012176498.tif 000002
【特許請求の範囲】
【請求項１】
印字が施されたラベルが仮着されている帯状台紙が排出される排出口が形成されたプリンタ本体に、剥離ローラを有する剥離ユニットをスライド可能に設け、前記剥離ユニットをスライドさせて前記帯状台紙に仮着したまま前記ラベルを発行する通常発行状態と、前記剥離ローラによって前記帯状台紙を転向させることで前記ラベルを前記帯状台紙から剥離して発行する剥離発行状態とを切り替えるラベルプリンタであって、
前記剥離ユニットは、
ガイド溝に沿ってスライドするスライド部と、
前記スライド部に揺動自在に支持され、前記剥離ローラを回動自在に支持する剥離ローラ支持部と、
スライド部のスライド動作をロックする少なくとも一つの剥離ユニット固定機構とを備え、
前記剥離ユニット固定機構は、
前記プリンタ本体側に設けられた位置決め部と、
前記スライド部と共にスライドし、前記通常発行状態及び前記剥離発行状態において前記位置決め部と係合する突起部と、
前記突起部が位置決め部と係合するように前記突起部を付勢する弾性部材とを備え、
前記剥離ユニットを前記通常発行状態及び前記剥離発行状態の一方から他方へ切り替える際に前記スライド部を所定の力でスライドさせることにより前記位置決め部に対する前記突起部の係合が解除されることを特徴とすることを特徴とするラベルプリンタ。
【請求項２】
前記弾性部材は、第１の板バネ部材と、前記第１の板バネ部材と一体的に設けられた第２の板バネ部材を含み、
前記位置決め部は、前記第１の板バネ部材に対応して設けられた第１の位置決め部と、前記第２の板バネ部材に対応して設けられた第２の位置決め部を含むことを特徴とする請求項１に記載のラベルプリンタ。
【請求項３】
前記プリンタ本体に設けられた開閉カバーと、
前記開閉カバーと共に回動する剥離ユニットロック解除部材とを備え、
前記剥離ユニット固定解除部材は、前記開閉カバーを閉めたときに剥離発行状態の前記剥離ユニットの前記スライド部に当接し、前記剥離ユニットのロックを解除することを特徴とする請求項１又は２に記載のラベルプリンタ。
【請求項４】
前記開閉カバーのロックを解除するオープンレバーをさらに備え、
前記剥離ユニット固定機構は、第１及び第２の剥離ユニット固定機構を含み、
前記オープンレバーは、前記プリンタ本体の幅方向の中央部に設けられており、
前記第１及び第２の剥離ユニット固定機構は、前記オープンレバーの左右にそれぞれ設けられていることを特徴とする請求項３に記載のラベルプリンタ。
【発明の詳細な説明】
【技術分野】
【０００１】
本発明は、ラベルプリンタに関し、特に、帯状台紙に仮着したままラベルを発行する通常発行状態と、帯状台紙から剥離してラベルを発行する剥離発行状態とを切り替えて使用することができるラベルプリンタに関する。
【背景技術】
【０００２】
帯状台紙に仮着されたラベルに印字を施して発行するラベルプリンタの一機能として剥離発行機能が知られている（特許文献１参照）。この機能は、帯状台紙からラベルを剥離した状態で発行するものであり、帯状台紙に仮着したままラベルを発行する通常発行状態と、帯状台紙からラベルを剥離して発行する剥離発行状態とを必要に応じて切り替えることができるようになっている。
【０００３】
図１３は、剥離発行機能を備えた従来のラベルプリンタ９０の構成を示す模式図であって、（ａ）は帯状台紙に仮着したままラベルを発行する通常発行状態、（ｂ）は移行状態、（ｃ）は帯状台紙からラベルを剥離して発行する剥離発行状態をそれぞれ示している。
【０００４】
図１３（ａ）〜（ｃ）に示すように、従来のラベルプリンタ９０は剥離ユニット９１を備えており、通常発行状態と剥離発行状態との切り替えは剥離ユニット９１のスライドによって行われる。剥離ユニット９１は、ガイド溝９２ａに沿ってスライドするスライド部９２と、スライド部９２に揺動自在に支持され、剥離ローラ（転向ローラともいう）９３を回動自在に支持している剥離ローラ支持部９４とを備えている。剥離ローラ支持部９４は、剥離ローラ９３をプリンタ本体側に押し付ける方向に付勢するためのトーションバネ９４ｂを備えている。スライド部９２には、プリンタ本体側のガイド溝９２ａに嵌装されたスライド片９２ｂ，９２ｃと、断面が半円形状を有する位置決め片９４ａが設けられている。
【０００５】
図１３（ａ）には、通常発行状態におけるスライド片９２ｂ，９２ｃ及び位置決め片９４ａの位置が示されている。通常発行状態において剥離ユニット９１はスライド範囲の上限に位置している。位置決め部材９５の上面９５ａはスライド方向に対して傾斜面となっているが、剥離ローラ支持部９４がプリンタ本体側に押し付けられる方向に付勢されているため、位置決め片９４ａが位置決め部材９５の上面９５ａに当接することによって剥離ユニット９１の下方向へのスライドが制限され、これにより剥離ユニット９１は通常発行状態に位置決めされている。
【０００６】
通常発行状態から剥離発行状態への切り替えは、剥離ユニット９１の下方向（矢印Ａ方向）へのスライドによって行われる。図１３（ｂ）に示すように、剥離ユニット９１を下方向へスライドさせると、位置決め片９４ａが位置決め部材９５の上面９５ａの傾斜に沿って持ち上がり、規制が解除される。また、位置決め片９４ａの動きに合わせて剥離ローラ支持部９４も付勢力に抗して持ち上がりながら下方向にスライドする。位置決め片９４ａは、位置決め部材９５を乗り越えた後、トーションバネ９４ｂの付勢力によって押し下げられ、位置決め部材９５の下面９５ｂに当接する。
【０００７】
図１３（ｃ）には、剥離発行状態におけるスライド片９２ｂ，９２ｃ及び位置決め片９４ａの位置が示されている。通常発行状態において剥離ユニット９１はスライド範囲の下限に位置している。位置決め部材９５の下面９５ｂに位置決め片９４ａが当接することによって、剥離ユニット９１の上方向へのスライドが制限され、剥離ユニット９１が剥離発行状態に位置決めされている。なお、位置決め部材９５の下面９５ｂは剥離ユニット９１のスライド方向に対して直交する面となっている。
【０００８】
剥離発行状態において、剥離ローラ９３はプリンタ本体側に押し付けられる方向に付勢されているため、剥離ローラ９３はプラテンローラ９６に押圧されている。また、位置決め片９４ａがスライド方向と直交する位置決め部材９５の下面９５ｂに当接しているため、剥離ローラ９３はプラテンローラ９６との接触位置で確実に位置決めされている。印字手段によって印字が施されたラベル９８は、プラテンローラ９６によって帯状台紙９９に仮着された状態で送り出されるが、帯状台紙９９は剥離板９７によって鋭角に折り返される。したがって、ラベル９８は帯状台紙９９から剥離されて、ラベル９８のみが剥離ローラ９３の上側から排出され、帯状台紙９９は下側から排出される。
【０００９】
このように、従来のラベルプリンタは、剥離ユニット９１自体をスライドさせて通常発行状態と剥離発行状態との切り換えを行うため、身体に装着した状態や作業用の手袋をした状態でも、通常発行状態と剥離発行状態との切り換え操作を簡単に行うことができ、操作性を向上させることができる。
【先行技術文献】
【特許文献】
【００１０】
【特許文献１】特許第４４０６３５２号公報
【発明の概要】
【発明が解決しようとする課題】
【００１１】
上述した従来のラベルプリンタ９０は、位置決め部材９５の上面９５ａがスライド方向に対して傾斜面であるため、剥離ユニット９１を単にスライドさせるだけで通常発行状態から剥離発行状態へ切り替えることができ、切り替え操作は簡易である。
【００１２】
しかしながら、剥離発行状態のときの位置決め片９４ａと係合する位置決め部材９５の下面９５ｂはスライド方向に対して直交面であるため、剥離発行状態から通常発行状態に切り替えるときには、図１３（ｃ）に示すように、トーションバネ９４ｂによる付勢力に抗して剥離ユニット９１の剥離ローラ支持部９４を矢印C方向に一度持ち上げてロックを解除した後、剥離ユニット９１を上方向（矢印Ｂ方向）にスライドさせなければならず、切り替えの操作性が良くないという問題がある。
【００１３】
また、剥離ユニット６の発行状態の切り替えは、ロール紙収容口の開閉カバーが閉じた状態にあるか開いた状態にあるかによらず自由に切り替えることができるように構成されている。しかし、従来の剥離ユニット９１は一度持ち上げてロックを解除しなければ剥離発行状態から通常発行状態に戻すことができないため、開閉カバーを開いた状態で剥離発行状態に切り替えた後、開閉カバーを閉じようとすると、剥離ユニット６が開閉カバーに干渉し、剥離ユニット６自身や開閉カバーの内側の機構が破損するおそれがある。
【００１４】
本発明は上記課題を解決するためになされたものであり、本発明の目的は、剥離ユニットを単にスライドさせるだけで通常発行状態と剥離発行状態との双方向の切り替えが可能なラベルプリンタを提供することにある。
【課題を解決するための手段】
【００１５】
上記課題を解決するため、本発明によるラベルプリンタは、印字が施されたラベルが仮着されている帯状台紙が排出される排出口が形成されたプリンタ本体に、剥離ローラを有する剥離ユニットをスライド可能に設け、前記剥離ユニットをスライドさせて前記帯状台紙に仮着したまま前記ラベルを発行する通常発行状態と、前記剥離ローラによって前記帯状台紙を転向させることで前記ラベルを前記帯状台紙から剥離して発行する剥離発行状態とを切り替えるラベルプリンタであって、前記剥離ユニットは、ガイド溝に沿ってスライドするスライド部と、前記スライド部に揺動自在に支持され、前記剥離ローラを回動自在に支持する剥離ローラ支持部と、スライド部のスライド動作をロックする少なくとも一つの剥離ユニット固定機構とを備え、前記剥離ユニット固定機構は、前記プリンタ本体側に設けられた位置決め部と、前記スライド部と共にスライドし、前記通常発行状態及び前記剥離発行状態において前記位置決め部と係合する突起部と、前記突起部が位置決め部と係合するように前記突起部を付勢する弾性部材とを備え、前記剥離ユニットを前記通常発行状態及び前記剥離発行状態の一方から他方へ切り替える際に前記スライド部を所定の力でスライドさせることにより前記位置決め部に対する前記突起部の係合が解除されることを特徴とする。
【００１６】
本発明において、前記位置決め部は、スライド方向と略直交する第１及び第２の規制面を有し、前記突起部は、前記通常発行状態において第１の規制面に当接する第１の傾斜面と、前記剥離発行状態において第２の規制面に当接する第２の傾斜面とを有することが好ましい。突起部の第１の傾斜面が位置決め部の第１の規制面と係合することにより、剥離ユニットを通常発行状態の位置に固定することができ、突起部の第２の傾斜面が位置決め部の第２の規制面と係合することにより、剥離ユニットを剥離発行状態の位置に固定することができる。
【００１７】
本発明において、前記弾性部材は、第１の板バネ部材と、前記第１の板バネ部材と一体的に設けられた第２の板バネ部材を含み、前記位置決め部は、前記第１の板バネ部材に対応して設けられた第１の位置決め部と、前記第２の板バネ部材に対応して設けられた第２の位置決め部を含むことが好ましい。この構成によれば、剥離ユニット固定機構による剥離ユニットの固定力を容易に強化することができる。
【００１８】
本発明によるラベルプリンタは、前記プリンタ本体に設けられた開閉カバーと、前記開閉カバーと共に回動する剥離ユニットロック解除部材とを備え、前記剥離ユニット固定解除部材は、前記開閉カバーを閉めたときに剥離発行状態の前記剥離ユニットの前記スライド部に当接し、前記剥離ユニットのロックを解除することが好ましい。本発明による剥離ユニットは単にスライドさせるだけでロックの解除が可能であることから、剥離ユニット接触部材によってロックを容易に解除することが可能である。したがって、開閉カバーと剥離ユニットとの干渉を解消することができ、プラテンローラ等の開閉カバーの内側に設けられた機構や剥離ユニットの破損を防止することができる。
【００１９】
本発明によるラベルプリンタは、前記開閉カバーのロックを解除するオープンレバーをさらに備え、前記剥離ユニット固定機構は、第１及び第２の剥離ユニット固定機構を含み、前記オープンレバーは、前記プリンタ本体の幅方向の中央部に設けられており、前記第１及び第２の剥離ユニット固定機構は、前記オープンレバーの左右にそれぞれ設けられていることが好ましい。この構成によれば、スライド部に対して十分な固定力を付与することができると共に、スライド部の幅方向の固定力のバランスを取ることができる。
【００２０】
本発明において、前記スライド部は前記プリンタ本体の表面側に設けられており、前記位置決め部は、前記プリンタ本体の裏面側において当該プリンタ本体と一体的に形成されていることが好ましい。前記位置決め部は、前記プリンタ本体の裏面に形成された突起部であってもよく、或いは、プリンタ本体の裏面に形成された穴であってもよい。この構成によれば、位置決め部を容易に設けることができる。
【００２１】
本発明において、前記位置決め部は、前記第１及び第２の規制面と直交する第３の面の一部を切り欠いて構成された凹部を有することが好ましい。この構成によれば、突起部のスライド中の摺動抵抗をできるだけ少なくすることができ、円滑なスライド動作を実現することができる。
【００２２】
本発明において、前記弾性部材は、前記スライド部のスライド面と略直交する方向に前記突起部を付勢してもよく、前記スライド部のスライド面と平行な方向に前記突起部を付勢してもよい。いずれの構成であっても、剥離ローラ支持部とは別の手段によって位置決めが行われるので、ロック解除のため剥離ローラ支持部を持ち上げることなく単にスライドさせるだけで通常発行状態と剥離発行状態との双方向の切り替えが可能である。
【発明の効果】
【００２３】
本発明によれば、剥離ユニットを単にスライドさせるだけで通常発行状態と剥離発行状態との双方向の切り替えが可能なラベルプリンタを提供することができる。
【図面の簡単な説明】
【００２４】
【図１】本発明の好ましい実施の形態によるラベルプリンタの構成を示す略斜視図である。
【図２】前面パネル４の構成を示す略斜視図である。
【図３】剥離ユニット６の構成を示す略斜視図であり、（ａ）は表面側の構成、また（ｂ）は裏面側の構成をそれぞれ示している。
【図４】剥離ユニットのスライド動作を説明するための平面図であり、（ａ）は通常発行状態、（ｂ）は剥離発行状態をそれぞれ示している。
【図５】剥離ユニットの発行状態を示す略側面断面図であって、（ａ）は通常発行状態、（ｂ）は剥離発行状態をそれぞれ示している。
【図６】前面パネル４の裏面側に設けられた剥離ユニット固定機構の構成を示す略斜視図であって、（ａ）は通常発行状態、（ｂ）は剥離発行状態をそれぞれ示している。
【図７】図６に示す剥離ユニット固定機構の略側面断面図であって、（ａ）は通常発行状態、（ｂ）は剥離発行状態をそれぞれ示している。
【図８】剥離ユニット固定機構の動作を説明するための模式図であり、（ａ）は通常発行状態、（ｂ）は剥離発行状態をそれぞれ示している。
【図９】剥離ユニット固定機構の他の実施形態を示す略断面図であって、（ａ）は通常発行状態、（ｂ）は剥離発行状態をそれぞれ示している。
【図１０】剥離発行状態のラベルプリンタの略側面図であって、（ａ）は剥離ユニットが完全に剥離発行状態の位置にある場合、（ｂ）は剥離ユニットが移行状態の位置にある場合をそれぞれ示している。
【図１１】板バネ部材の先端の突起部の構成の変形例を示す略側面図である。
【図１２】第２の実施形態による剥離ユニット固定機構の構成及び動作を説明するための平面図であって、（ａ）は通常発行状態、（ｂ）は剥離発行状態をそれぞれ示している。
【図１３】従来のラベルプリンタの構成を示す模式図であって、（ａ）は通常発行状態、（ｂ）は移行状態、（ｃ）は剥離発行状態をそれぞれ示している。
【発明を実施するための形態】
【００２５】
以下、添付図面を参照しながら、本発明の好ましい実施の形態について詳細に説明する。
【００２６】
図１は、本発明の好ましい実施の形態によるラベルプリンタの構成を示す略斜視図である。
【００２７】
図１に示すように、ラベルプリンタ１は、ラベルに印字を施す印字部及び複数のラベルが間隔を置いて帯状台紙に仮着され、ロール状に巻き回されたラベル連続体が収容される収容部が内蔵されるプリンタ本体２と、プリンタ本体２の上面に設けられ、印字動作に関する各種入力を行う操作パネル３と、プリンタ本体２の前面の上部側に設けられた前面パネル４と、プリンタ本体２の前面の下部側に設けられた開閉カバー５と、上下にスライド可能な状態で前面パネル４に取り付けられた剥離ユニット６とを備えており、前面パネルと開閉カバー５との間には、印字処理されたラベル及び帯状台紙を排出するための排出口７が設けられている。また、前面パネル４の略中央部には開閉カバー５のロックを解除するオープンレバー８が設けられている。
【００２８】
図２は、前面パネル４の構成を示す略斜視図である。
【００２９】
図２に示すように、前面パネル４の主面には、上記剥離ユニット６をスライド可能に嵌装するための剥離ユニット取付部４１が形成されている。剥離ユニット取付部４１の側面には剥離ユニット６のスライドをガイドするガイド溝４２が設けられている。また、前面パネル４の略中央部には、オープンレバー８が配置される開口４３が設けられている。さらに、開口４３の両側には長穴４４，４４がそれぞれ設けられている。この長穴４４，４４は剥離ユニット６をスライド自在に固定するために用いられるものである。なお、ガイド溝４２は、図２に示す剥離ユニット取付部４１の一方の側面のみならず、他方の側面にも同様に形成されている。
【００３０】
図３は、剥離ユニット６の構成を示す略斜視図であり、（ａ）は表面側の構成、また（ｂ）は裏面側の構成をそれぞれ示している。
【００３１】
図３（ａ）及び（ｂ）に示すように、剥離ユニット６は、前面パネル４側に設けられたガイド溝４２（図２参照）に沿ってスライドするスライド部６１と、スライド部６１に揺動自在に支持され、剥離ローラ１０を回動自在に支持する剥離ローラ支持部６２とを備えており、スライド部６１と剥離ローラ支持部６２との間はラベル排出口６３となっている。
【００３２】
スライド部６１の略中央部には、オープンレバー８（図１参照）が貫通する開口６１１が形成されており、スライド部６１の側面には、前面パネル４のガイド溝４２に嵌装されるスライド片６１２〜６１５が設けられている。詳細には、スライド部６１の左側の側面には２つのスライド片６１２，６１３が設けられており、右側の側面にはスライド片６１４，６１５が設けられている。さらに、スライド部６１の裏面には２つのボス６１６，６１６が設けられている。詳細は後述するが、ボス６１６，６１６は前面パネル４に設けられた長穴４４，４４（図２参照）にそれぞれ嵌合され、長穴４４，４４の両端とボス６１６，６１６との干渉によって剥離ユニット６のスライド範囲が制限される。また、各ボス６１の先端には、剥離ユニット６をそのスライド範囲の両端で固定するための剥離ユニット固定機構が取り付けられる。
【００３３】
剥離ローラ支持部６２は、剥離ローラ１０の回転軸方向と直交する方向に延出された一対のアーム部６２１を備えており、一対のアーム部６２１の基端部はスライド部６１の側面に対してそれぞれ揺動自在に軸支され、剥離ローラ１０はトーションバネ１１によってプリンタ本体２側に押し付けられる方向に付勢されている。
【００３４】
図４は、剥離ユニット６のスライド動作を説明するための平面図であり、（ａ）は通常発行状態、（ｂ）は剥離発行状態をそれぞれ示している。また、図５は、剥離ユニット６の発行状態を示す略側面断面図であって、（ａ）は通常発行状態、（ｂ）は剥離発行状態をそれぞれ示している。
【００３５】
図４（ａ）及び図５（ａ）に示すように、通常発行状態の剥離ユニット６は、スライド範囲の上限に位置し、そのスライド動作は後述する剥離ユニット固定機構によってロックされている。通常発行状態では、剥離ユニット６が排出口７の上方に位置し、印字手段であるサーマルヘッド１４によって印字が施されたラベル１２は、帯状台紙１３に仮着された状態で排出口７から排出される。開閉カバー５側にはプラテンローラ１５及び剥離板１６が設けられており、帯状台紙１３はプラテンローラ１５によって搬送されて排出口７より排出される。
【００３６】
図４（ｂ）及び図５（ｂ）に示すように、剥離発行状態の剥離ユニット６は、スライド範囲の下限に位置し、そのスライド動作は剥離ユニット固定機構によってロックされている。剥離発行状態では、排出口７と剥離ユニット６のラベル排出口６３とが対向すると共に、排出口７よりも下方において剥離ローラ１０がプラテンローラ１５と当接した状態となる。印字手段であるサーマルヘッド１４によって印字が施されたラベル１２は、帯状台紙１３に仮着された状態で排出口７から排出されるが、帯状台紙１３は剥離板１６によって鋭角に折り返される。したがって、ラベル１２は剥離板１６によって帯状台紙１３から剥離されて、ラベル１２のみがラベル排出口６３から排出されると共に、ラベル１２が剥離された帯状台紙１３は、剥離板１６で折り返されて剥離ローラ１０の下側から排出される。
【００３７】
次に、剥離ユニット６のスライド動作をロックする剥離ユニット固定機構について説明する。
【００３８】
図６は、前面パネル４の裏面側に設けられた剥離ユニット固定機構の構成を示す略斜視図であって、（ａ）は通常発行状態、（ｂ）は剥離発行状態をそれぞれ示している。また、図７は、図６に示す剥離ユニット固定機構の略側面断面図であって、（ａ）は通常発行状態、（ｂ）は剥離発行状態をそれぞれ示している。さらに、図８は、剥離ユニット固定機構の詳細な構成及び動作を説明するための平面図であって、（ａ）は通常発行状態、（ｂ）は剥離発行状態をそれぞれ示している。
【００３９】
図６に示すように、前面パネル４の裏面には、剥離ユニット６のスライド部６１をスライドの上限位置又は下限位置にて固定する２つの剥離ユニット固定機構６４，６４が設けられている。一方の剥離ユニット固定機構６４は、オープンレバー８が貫通する開口６１１の左側に設けられており、他方の剥離ユニット固定機構６４は、開口６１１の右側に設けられている。このように、１つではなく２つの剥離ユニット固定機構６４を設けることにより、スライド部６１に対して十分な固定力を付与することができると共に、前面パネル４の開口６１１を避けた位置に剥離ユニット固定機構６４を配置することができ、スライド部６１の幅方向の固定力のバランスを取ることができる。
【００４０】
図６〜図８に示すように、各剥離ユニット固定機構６４は、第１及び第２の板バネ部材６５Ａ，６５Ｂと、第１及び第２の板バネ部材６５Ａ，６５Ｂの先端部にそれぞれ設けられた第１及び第２の突起部６６Ａ，６６Ｂと、第１及び第２の板バネ部材６５Ａ，６５Ｂに対応して設けられた第１及び第２の位置決め部６７Ａ，６７Ｂと、第１及び第２の板バネ部材６５Ａ，６５Ｂを固定するネジ６８と、板バネ部材６５Ａ，６５Ｂのスライドをガイドするガイド部材６９Ａ，６９Ｂとを備えている。
【００４１】
第１及び第２の板バネ部材６５Ａ，６５Ｂは一枚の金属板の折り曲げ加工によって形成された一体的な部材であり、両者に共通の基端部はスライド部６１にネジ止め固定されている。板バネ部材６５Ａ，６５Ｂは、その長手方向がスライド方向と平行であり、前面パネル４の主面と直交する方向ではなく、前面パネル４の主面と平行な方向に弾性力を付与している。
【００４２】
前面パネル４には長穴４４が設けられており、長穴４４の長さによってスライド範囲が規定されている。スライド部６１の裏面側に設けられたボス６１６（図７、図３（ｂ）参照）は長穴４４に挿入されており、前面パネル４の裏面側に設けられた第１及び第２の板バネ部材６５Ａ，６５Ｂは、長穴４４を貫通するネジ６８によってボス６１６に螺着されている。これにより、剥離ユニット固定機構６４の第１及び第２の板バネ部材６５Ａ，６５Ｂは長穴４４に沿ってスライド部６１と一緒にスライドすることができる。そして、ボス６１６の外周面が長穴４４の長手方向の端部と当接することにより、スライド部６１のストロークが規制される。
【００４３】
第１及び第２の突起部６６Ａ，６６Ｂは、第１及び第２の板バネ部材６５Ａ，６５Ｂの先端部が折り曲げられて一体的に形成された略Ｖ字状の部材である。各突起部６６Ａ，６６Ｂは、通常発行状態において位置決め部６７の上面（第１の規制面）Ｓ１に当接する第１の傾斜面Ｔ１と、剥離発行状態において位置決め部６７の下面（第２の規制面）Ｓ２に当接する第２の傾斜面Ｔ２を有している。
【００４４】
位置決め部は板バネ部材に合わせて２つ設けられている。すなわち、第１の板バネ部材６５Ａに対応する第１の位置決め部６７Ａと、第２の板バネ部材６５Ｂに対応する第２の位置決め部６７Ｂである。位置決め部６７Ａ，６７Ｂは、前面パネル４の裏面であって、長穴４４から見て板バネ部材６５Ａ，６５Ｂの突起部６６Ａ，６６Ｂが存在する位置に設けられている。位置決め部６７Ａ，６７Ｂは前面パネル４の一部であり、前面パネル４と一体的に形成されている。
【００４５】
図８に示すように、各位置決め部６７Ａ，６７Ｂは、スライド方向と略直交する第１及び第２の規制面Ｓ１，Ｓ２を有している。第１の規制面Ｓ１は、通常発行状態において突起部６６Ａ，６６Ｂと係合し、板バネ部材６５Ａ，６５Ｂのスライドを規制する面であり、第２の規制面Ｓ２は、剥離発行状態において突起部６６Ａ，６６Ｂと係合し、板バネ部材６５Ａ，６５Ｂのスライドを規制する面である。一方、Ｖ字状の突起部６６Ａ，６６Ｂは、第１及び第２の傾斜面Ｔ１，Ｔ２を有し、第１の傾斜面Ｔ１は、通常発行状態において第１の規制面Ｓ１に当接し、第２の傾斜面Ｔ２は、前記剥離発行状態において第２の規制面Ｓ２に当接する。
【００４６】
本実施形態においては、位置決め部６７Ａ，６７Ｂの側面には凹部ＤＡ，ＤＢがそれぞれ形成されている。この凹部ＤＡ，ＤＢは、第１及び第２の規制面Ｓ１，Ｓ２と直交する第３の面の一部を切り欠いて構成されており、突起部６６Ａ，６６Ｂのスライド中の摺動抵抗をできるだけ少なくするために設けられている。第３の面は、突起部６６Ａ，６６Ｂがスライド中に本来接触するはずの平面である。
【００４７】
次に、剥離ユニット固定機構６４の動作について説明する。
【００４８】
図８（ａ）に示すように、通常発行状態では、スライド部６１が前面パネル４に近いスライド範囲の上限位置に固定され、これに合わせて板バネ部材６５Ａ，６５Ｂの先端部に設けられた突起部６６Ａ，６６Ｂも上方向にスライドし、位置決め部６７Ａ，６７Ｂの上面Ｓ１に接している。このとき、長穴４４を貫通するボス６１６が長穴４４の上端部４４ａに当接しているので、スライド部６１がそれ以上スライドすることはできない。また、突起部６６Ａ，６６Ｂが位置決め部６７Ａ，６７Ｂに係合していることにより、板バネ部材６５Ａ，６５Ｂ及びこれに連結されたスライド部６１の位置は固定される。
【００４９】
前面パネル４から離れる下方向へのスライド、つまり剥離発行状態への切り替えには、突起部６６Ａ，６６Ｂが位置決め部６７Ａ，６７Ｂを乗り越えることができる一定以上の力を加える必要があり、それまではその位置が維持される。スライド部６１に一定以上の力を加えて前面パネル４から離れる下方向にスライドさせると、突起部６６Ａ，６６Ｂが位置決め部６７Ａ，６７Ｂを乗り越えて図８（ｂ）に示す係合位置まで移動する。
【００５０】
スライド部６１と共に板バネ部材６５Ａ，６５Ｂがスライドすると、位置決め部６７Ａ，６７Ｂの第１の規制面Ｓ１側のコーナー部が突起部６６Ａ，６６Ｂの傾斜面Ｔ１に当接し、突起部６６Ａ，６６Ｂにはスライド方向と直交する方向の力が加わるので、これにより突起部６６Ａ，６６Ｂは位置決め部６７Ａ，６７Ｂを乗り越えることができる。突起部６６Ａ，６６Ｂが位置決め部６７Ａ，６７Ｂを乗り越えた後は、凹部ＤＡ，ＤＢによって突起部６６Ａ，６６Ｂの先端と位置決め部６７Ａ，６７Ｂとの接触が回避されることから、スライド時の摺動抵抗を低減することができる。
【００５１】
図８（ｂ）に示すように、剥離発行状態では、スライド部６１が前面パネル４から遠いスライド範囲の下限位置に固定され、これに合わせて板バネ部材６５Ａ，６５Ｂの先端部に設けられた突起部６６Ａ，６６Ｂも下方向にスライドし、位置決め部６７Ａ，６７Ｂの下面Ｓ２に接している。このとき、長穴４４を貫通するボス６１６が長穴４４の下端部に当接しているので、スライド部６１がそれ以上スライドすることはできない。また、突起部６６Ａ，６６Ｂが位置決め部６７Ａ，６７Ｂに係合していることにより、板バネ部材６５Ａ，６５Ｂ及びこれに連結されたスライド部６１のスライドはロックされる。
【００５２】
剥離発行状態から通常発行状態に戻す場合には、上記と逆の動作となる。すなわち、スライド部６１に一定以上の力を加えて前面パネル４に近づく上方向にスライドさせると、突起部６６Ａ，６６Ｂが位置決め部６７Ａ，６７Ｂを乗り越えて図８（ａ）に示す係合位置まで移動する。スライド部６１と共に板バネ部材６５Ａ，６５Ｂがスライドすると、位置決め部６７Ａ，６７Ｂの第２の規制面Ｓ２側のコーナー部が突起部６６Ａ，６６Ｂの傾斜面Ｔ２に当接し、突起部６６Ａ，６６Ｂにはスライド方向と直交する方向の力が加わるので、これにより突起部６６Ａ，６６Ｂは位置決め部６７Ａ，６７Ｂを乗り越えることができる。
【００５３】
このように、本実施形態においては、板バネ部材６５Ａ，６５Ｂおよびその先端の突起部６６Ａ，６６Ｂによってスライド動作をロックするので、スライド部６１を持ち上げることなく単にスライドさせるだけでスライド位置のロックを解除することができる。また、剥離ローラ支持部６２と別の手段で位置決めを行うことにより、剥離ユニット６の位置決め精度の向上とスライドの上限位置及び下限位置での剥離ユニットの保持力の向上を図ることができる。
【００５４】
図９は、剥離ユニット固定機構６４の第２の実施形態を示す略断面図であって、（ａ）は通常発行状態、（ｂ）は剥離発行状態をそれぞれ示している。
【００５５】
図９（ａ）及び（ｂ）に示すように、この剥離ユニット固定機構６４は、一つの板バネ部材６５のみがスライド部６１にネジ止め固定されており、板バネ部材６５は、前面パネル４の主面と平行な方向ではなく、前面パネル４の主面と直交する方向に弾性力を付与しており、前面パネル４の主面を押圧する方向に突起部６６を付勢している。
【００５６】
また、位置決め部６７は、前面パネル４に形成された２つの穴４５ａ，４５ｂによって実現されている。一方の穴４５ａは、スライド方向と略直交する第１の規制面Ｓ１を提供するものであり、他方の穴４５ｂは第２の規制面Ｓ２を提供するものである。第１の規制面Ｓ１は、通常発行状態において突起部６６と係合し、板バネ部材６５のスライドを規制する面であり、第２の規制面Ｓ２は、剥離発行状態において突起部６６と係合し、板バネ部材６５のスライドを規制する面である。Ｖ字状の突起部６６は、第１及び第２の傾斜面Ｔ１，Ｔ２を有し、第１の傾斜面Ｔ１は、通常発行状態において第１の規制面Ｓ１に当接し、第２の傾斜面Ｔ２は、前記剥離発行状態において第２の規制面Ｓ２に当接する。
【００５７】
図９（ａ）に示すように、通常発行状態では、スライド部６１が前面パネル４に近いスライド範囲の上限位置に固定され、これに合わせて板バネ部材６５の先端部に設けられた突起部６６も長穴４４から離れる上方向にスライドし、穴４５ａに嵌合している。このとき、長穴４４を貫通するネジ６８が長穴４４の上端部４４ａに当接しているので、スライド部６１がそれ以上スライドすることはできない。また、突起部６６が穴４５ａに嵌合していることにより、板バネ部材６５及びこれに連結されたスライド部６１のスライド動作はロックされる。
【００５８】
図９（ｂ）に示すように、剥離発行状態では、スライド部６１が前面パネル４から遠いスライド範囲の下限位置に固定され、これに合わせて板バネ部材６５の先端部に設けられた突起部６６も長穴４４に近づく下方向にスライドし、穴４５ｂに嵌合している。このとき、長穴４４を貫通するネジ６８が長穴４４の下端部４４ｂに当接しているので、スライド部６１がそれ以上スライドすることはできない。また、突起部６６が穴４５ｂに係合していることにより、板バネ部材６５及びこれに連結されたスライド部６１のスライド動作はロックされる。
【００５９】
このように、本実施形態においても、板バネ部材６５およびその先端の突起部６６によってスライドを固定するので、スライド部６１を持ち上げることなく単にスライドさせるだけでスライド位置のロックを解除することができる。また、剥離ローラ支持部６２と別の手段で位置決めを行うことにより、剥離ユニット６の位置決め精度の向上とスライドの上限位置及び下限位置での剥離ユニットの保持力の向上を図ることができる。
【００６０】
図１０は、剥離発行状態のラベルプリンタの略側面図であって、（ａ）は剥離ユニットの剥離発行状態、（ｂ）は剥離ユニットの剥離発行状態が解除された状態をそれぞれ示している。
【００６１】
図１０（ａ）及び（ｂ）に示すように、開閉カバー５の内側には剥離ユニット接触部材５１が設けられている。剥離ユニット６は開閉カバー５が開いている状態においてもスライド可能であり、開閉カバー５が開いている状態で剥離ユニット６のスライド部６１をスライドさせて剥離発行状態にすると、開閉カバー５を閉じようとしたときに剥離ユニット６に干渉し、剥離ユニット６が破損するおそれがある。
【００６２】
しかし、開閉カバー５の内側に剥離ユニット６の一部と接触する剥離ユニット接触部材５１を設け、開閉カバー５を閉じるときに剥離ユニット接触部材５１の傾斜面が剥離ユニット６の一部に当接して矢印Ｘ方向に押し込むので、剥離ユニット６の剥離発行状態を解除することができ、開閉カバー５と剥離ユニット６との干渉を解消することができる。特に、本実施形態による剥離ユニット６は、従来のラベルプリンタと異なり、単にスライドさせるだけでロックの解除が可能であることから、剥離ユニット接触部材５１によってロックを容易に解除することが可能である。したがって、プラテンローラ１５等の開閉カバー５の内側に設けられた機構や剥離ユニット６の破損を防止することができる。
【００６３】
図１１は、板バネ部材６５の先端の突起部６６の構成の変形例を示す略側面図である。
【００６４】
図１１（ａ）に示す突起部６６は、板バネ部材６５の先端部がＶ字状ではなく略台形状に折り曲げ加工されたものであり、図１１（ｂ）に示す突起部６６は、板バネ部材６５の先端部が略半円状に加工されたものである。また、図１１（ｃ）に示す突起部６６は、板バネ部材６５の折り曲げ加工ではなく、板バネ部材６５の先端部に取り付けられた樹脂製の略Ｖ字状の部材である。さらに、図１１（ｄ）に示す突起部６６は、板バネ部材６５の先端部に取り付けられた樹脂製の略半球状の部材である。図１１（ａ）〜（ｄ）に示したいずれの突起部６６も、右半分が第１の傾斜面Ｔ１に相当し、左半分が第２の傾斜面Ｔ２に相当する（図８参照）。このように、突起部６６としては種々の構成を採用することができる。
【００６５】
上記実施形態においては、突起部６６，６６Ａ，６６Ｂを付勢する弾性部材として板バネ部材を挙げたが、本発明は板バネ部材に限定されるものではなく、丸線を使った線バネ、ネジリコイルバネ（トーションバネ）等、種々の弾性部材を採用することが可能である。
【００６６】
図１２は、本発明の他の実施形態による剥離ユニット固定機構の構成及び動作を説明するための平面図であって、（ａ）は通常発行状態、（ｂ）は剥離発行状態をそれぞれ示している。
【００６７】
図１２（ａ）及び（ｂ）に示すように、この剥離ユニット固定機構６４は、スライド可能な２つのレバー７１Ａ，７１Ｂを備えており、レバー７１Ａ，７１Ｂの先端部には突起部７２Ａ，７２Ｂがそれぞれ一体的に形成されている。レバー７１Ａ，７１Ｂの基端部はスライド部６１のボス６１６に螺着された固定部材７３に軸支されており、レバー７１Ａ，７１Ｂの先端部は支点７３Ａ，７３Ｂを中心に揺動自在に構成されている。固定部材７３は、長穴４４を貫通するボス（不図示）に固定されている。２つのレバー７１Ａ，７１Ｂの間には圧縮コイルバネ７４が設けられており、２つのレバー７１Ａ，７１Ｂの間隔を広げる方向、すなわち突起部７２Ａ，７２Ｂを位置決め部６７Ａ，６７Ｂに押しつける方向にそれぞれ付勢している。そのため、レバー７１Ａ，７１Ｂ自身には上述の板バネ部材６５Ａ，６５Ｂのような弾性力はないが、板バネ部材６５Ａ，６５Ｂと同様のスライド動作を行うことができる。
【００６８】
図１２（ａ）に示すように、通常発行状態では、スライド部６１が前面パネル４に近いスライド範囲の上限位置に固定され、これに合わせてレバー７１Ａ，７１Ｂの先端部に設けられた突起部７２Ａ，７２Ｂも上方向にスライドし、位置決め部６７Ａ，６７Ｂの上面Ｓ１に接している。このとき、長穴４４を貫通するボスが長穴４４の上端部４４ａに当接しているので、スライド部６１がそれ以上スライドすることはできない。また、突起部７２Ａ，７２Ｂが位置決め部６７Ａ，６７Ｂに係合していることにより、レバー７１Ａ，７１Ｂ及びこれに連結されたスライド部６１の位置は固定される。
【００６９】
前面パネル４から離れる下方向へのスライド、つまり剥離発行状態への切り替えには、突起部７２Ａ，７２Ｂが位置決め部６７Ａ，６７Ｂを乗り越えることができる一定以上の力を加える必要があり、それまではその位置が維持される。スライド部６１に一定以上の力を加えて前面パネル４から離れる下方向にスライドさせると、圧縮コイルバネ７４の付勢力に反して、突起部７２Ａ，７２Ｂが位置決め部６７Ａ，６７Ｂを乗り越えて図１２（ｂ）に示す係合位置まで移動する。
【００７０】
スライド部６１と共にレバー７１Ａ，７１Ｂがスライドすると、位置決め部６７Ａ，６７Ｂの第２の規制面Ｓ２側のコーナー部が突起部７２Ａ，７２Ｂの傾斜面Ｔ１に当接し、突起部７２Ａ，７２Ｂにはスライド方向と直交する方向の力が加わるので、これにより突起部７２Ａ，７２Ｂは位置決め部６７Ａ，６７Ｂを乗り越えることができる。
【００７１】
図１２（ｂ）に示すように、剥離発行状態では、スライド部６１が前面パネル４から遠いスライド範囲の下限位置に固定され、これに合わせてレバー７１Ａ，７１Ｂの先端部に設けられた突起部７２Ａ，７２Ｂも下方向にスライドし、位置決め部６７Ａ，６７Ｂの下面Ｓ２に接している。このとき、長穴４４を貫通するボスが長穴４４の下端部に当接しているので、スライド部６１がそれ以上スライドすることはできない。また、突起部７２Ａ，７２Ｂが位置決め部６７Ａ，６７Ｂに係合していることにより、レバー７１Ａ，７１Ｂ及びこれに連結されたスライド部６１の位置は固定される。
【００７２】
剥離発行状態から通常発行状態に戻す場合には、上記と逆の動作となる。すなわち、スライド部６１に一定以上の力を加えて前面パネル４に近づく上方向にスライドさせると、突起部７２Ａ，７２Ｂが位置決め部６７Ａ，６７Ｂを乗り越えて図１２（ａ）に示す係合位置まで移動する。スライド部６１と共にレバー７１Ａ，７１Ｂがスライドすると、位置決め部６７Ａ，６７Ｂの第２の規制面Ｓ２側のコーナー部が突起部７２Ａ，７２Ｂの傾斜面Ｔ２に当接し、突起部７２Ａ，７２Ｂにはスライド方向と直交する方向の力が加わるので、これにより突起部７２Ａ，７２Ｂは位置決め部６７Ａ，６７Ｂを乗り越えることができる。
【００７３】
以上、本発明の好ましい実施形態について説明したが、本発明は、上記の実施形態に限定されることなく、本発明の主旨を逸脱しない範囲で種々の変更が可能であり、それらも本発明の範囲内に包含されるものであることはいうまでもない。
【００７４】
例えば、上記実施形態においては、図１０に示したように開閉カバー５の内側に剥離ユニット接触部材５１を備えた構成を挙げたが、本発明はそのような構成に限定されるものではなく、剥離ユニット接触部材５１が省略された構成であってもかまわない。
【００７５】
また、図９において、図８の凹部ＤＡ，ＤＢに相当するものは設けられていないが、規制面Ｓ１とＳ２との間にさらに穴を設けて、凹部ＤＡ，ＤＢに相当するものを設けることも可能である。この凹部によって突起部６６のスライド中の摺動抵抗を少なくすることが可能である。
【符号の説明】
【００７６】
１    ラベルプリンタ
２    プリンタ本体
３    操作パネル
４    前面パネル
５    開閉カバー
６    剥離ユニット
７    排出口
８    オープンレバー
１０    剥離ローラ
１１    トーションバネ
１２    ラベル
１３    帯状台紙
１４    サーマルヘッド
１５    プラテンローラ
１６    剥離板
４１    剥離ユニット取付部
４２    ガイド溝
４３    開口
４４    長穴
４４ａ    長穴の上端部
４４ｂ    長穴の下端部
４５ａ，４５ｂ    穴
５１    剥離ユニット接触部材
６１    スライド部
６２    剥離ローラ支持部
６３    ラベル排出口
６４    剥離ユニット固定機構
６４Ａ，６４Ｂ    突起部
６５，６５Ａ，６５Ｂ    板バネ部材
６６，６６Ａ，６６Ｂ    突起部
６７Ａ，６７Ａ，６７Ｂ    位置決め部
６８    ネジ
６９Ａ，６９Ｂ    ガイド部材
７１Ａ，７１Ｂ    レバー
７２Ａ，７２Ｂ    突起部
７３    固定部材
７３Ａ，７３Ｂ    支点
７４    圧縮コイルバネ
９０    ラベルプリンタ
９１    剥離ユニット
９２    スライド部
９２ａ    ガイド溝
９２ｂ，９２ｃ    スライド片スライド片
９２ｂ，９２ｃ    スライド片
９３    剥離ローラ
９４    剥離ローラ支持部
９４ａ    位置決め片
９４ｂ    トーションバネ
９５    位置決め部材
９５ａ    位置決め部材の上面
９５ｂ    位置決め部材の下面
９６    プラテンローラ
９７    剥離板
９８    ラベル
９９    帯状台紙
６１１    開口
６１２〜６１５    スライド片
６１６    ボス
６２１    アーム部
ＤＡ，ＤＢ    凹部
Ｓ１    位置決め部の上面（規制面）
Ｓ２    位置決め部の下面（規制面）
Ｔ１，Ｔ２    突起部の傾斜面
【図１】
2012176498.tif 000003
【図２】
2012176498.tif 000004
【図３】
2012176498.tif 000005
【図４】
2012176498.tif 000006
【図５】
2012176498.tif 000007
【図６】
2012176498.tif 000008
【図７】
2012176498.tif 000009
【図８】
2012176498.tif 000010
【図９】
2012176498.tif 000011
【図１０】
2012176498.tif 000012
【図１１】
2012176498.tif 000013
【図１２】
2012176498.tif 000014
【図１３】
2012176498.tif 000015